(57)【要約】      （修正有）【課題】光源に半導体レーザを用いた場合でも、半導体レーザの発光を安定化させ、より効率的かつ安定的な光変調が実現できる光源内蔵型光変調器モジュールの提供。【解決手段】光源である半導体レーザ２７と、電気光学効果を有する材料からなる基板の表面に光導波路を設けた光変調素子２８を同一の筐体に内蔵する光源内蔵型光変調器モジュールにおいて、該半導体レーザ２７からの光の偏波面を該光変調素子の最適導波偏波面に一致させると共に、該光変調素子から該半導体レーザに向かう戻り光を阻止するため、偏波回転素子４０を該半導体レーザと該光変調素子との間に設ける。【選択図】図４
2006119661.tif 000002
【特許請求の範囲】
【請求項１】
光源である半導体レーザと、電気光学効果を有する材料からなる基板の表面に光導波路を設けた光変調素子を同一の筐体に内蔵する光源内蔵型光変調器モジュールにおいて、
該半導体レーザからの光の偏波面を該光変調素子の最適導波偏波面に一致させると共に、該光変調素子から該半導体レーザに向かう戻り光を阻止するため、偏波回転素子を該半導体レーザと該光変調素子との間に設け、
該偏波回転素子は、上記半導体レーザ側から順に、半導体レーザの主偏光成分を透過する第一の偏光子、該第一の偏光子の透過軸に対しその透過光を４５°回転させる第一のファラデー素子、該第一のファラデー素子の出力偏光を透過させる透過軸を有する第二の偏光子、該第二の偏光子の透過光を第一のファラデー素子と同一方向又は逆方向に４５°回転させる第二のファラデー素子を配置し、
該第一のファラデー素子に対し光軸方向の磁場を印加する手段と、
第二のファラデー素子に対し光軸上で該第一のファラデー素子と同一方向又は逆方向の磁場を選択的に印加する手段とを有することを特徴とする光源内蔵型光変調器モジュール。
【請求項２】
請求項１に記載された光源内蔵型光変調器モジュールにおいて、該第二のファラデー素子の出力偏光を透過させる透過軸を有する第三の偏光子を配置することを特徴とする光源内蔵型光変調器モジュール。
【請求項３】
請求項１又は２に記載された光源内蔵型光変調器モジュールにおいて、上記第二のファラデー素子に対し磁界を印加する手段として、磁界強度を調整可能な電磁石を用いたことを特徴とする光源内蔵型光変調器モジュール。
【発明の詳細な説明】
【技術分野】
【０００１】
本発明は、光源と光変調素子とを同一の筐体に内蔵する光源内蔵型光変調器モジュールに関し、特に、光源として半導体レーザを用いた光源内蔵型光変調器モジュールに関する。
【背景技術】
【０００２】
通常、高品位な光通信分野においては、光源に、波長が安定しておりかつスペクトル幅の狭いという特性を有する分布帰還型の半導体レーザ（ＤＦＢレーザ）を用い、これを連続（ＣＷ）動作させ、半導体レーザの外部に設けた光変調器によりレーザ光を伝送データに対応して変調し、光ファイバなどの伝送路により変調された光を送信する方法が利用されている。しかも、光変調器には、ＬｉＮｂＯ３（以下、ＬＮという）のような電気光学効果を有する材料からなる基板の表面に光導波路を形成し、該光導波路を導波する光をその近傍に設けた電極を介して高速度光変調をかける方法が、多く用いられている。
【０００３】
このような変調された光を発生する装置においては、半導体レーザ、光変調器などの個別部品を、レンズ、光ファイバ等の光学部品を用いて相互に接続して、装置構成するのが一般的であるが、近年のデータ伝送における大容量化・高速化を反映して、光通信の波長多重化を実施する等の理由から、装置構成が大型化、複雑化してきており、主要部品の集積化や小型化を図ることが、益々要求されている。
【０００４】
また、光源として半導体レーザを用いた場合、安定したレーザ光の発振のためには、半導体レーザへの有害な戻り光の除去や、半導体レーザの温度制御なども必要となる。しかも、半導体レーザからの出力光は偏波面を有しており、他方、ＬＮ光変調器などの外部変調器も、変調動作が効果的に機能するためには、変調器内を通過する光が光変調器の最適導波偏波面に設定されていることが必要であり、両者の偏波面の整合性を図ることも求められる。
【発明の開示】
【発明が解決しようとする課題】
【０００５】
送信側の主要部品である半導体レーザと、外部変調器である光変調素子を同じ筐体に内蔵して集積化を図る場合には、上述のような課題に加え、次のような課題が生じる。第１に、半導体レーザからの出力光の偏波面の主な偏光方向と、ＬＮ光変調素子の最適導波偏波面を形成する最適入射偏光方向とが一般的に異なる方向となる場合があり、このため、両者を結合する際に偏波回転機能が必要となる。
【０００６】
本発明が解決しようとする課題は、上記の問題を解消し、装置全体の小型化を達成すると共に、特に、光源に半導体レーザを用いた場合でも、半導体レーザの発光を安定化させ、より効率的かつ安定的な光変調が実現できる光源内蔵型光変調器モジュールを提供することである。
【課題を解決するための手段】
【０００７】
上記課題を解決するために、請求項１に係る発明は、光源である半導体レーザと、電気光学効果を有する材料からなる基板の表面に光導波路を設けた光変調素子を同一の筐体に内蔵する光源内蔵型光変調器モジュールにおいて、該半導体レーザからの光の偏波面を該光変調素子の最適導波偏波面に一致させると共に、該光変調素子から該半導体レーザに向かう戻り光を阻止するため、偏波回転素子を該半導体レーザと該光変調素子との間に設け、該偏波回転素子は、上記半導体レーザ側から順に、半導体レーザの主偏光成分を透過する第一の偏光子、該第一の偏光子の透過軸に対しその透過光を４５°回転させる第一のファラデー素子、該第一のファラデー素子の出力偏光を透過させる透過軸を有する第二の偏光子、該第二の偏光子の透過光を第一のファラデー素子と同一方向又は逆方向に４５°回転させる第二のファラデー素子を配置し、該第一のファラデー素子に対し光軸方向の磁場を印加する手段と、第二のファラデー素子に対し光軸上で該第一のファラデー素子と同一方向又は逆方向の磁場を選択的に印加する手段とを有することを特徴とする。
【０００８】
請求項２に係る発明は、請求項１に記載された光源内蔵型光変調器モジュールにおいて、該第二のファラデー素子の出力偏光を透過させる透過軸を有する第三の偏光子を配置することを特徴とする。
【０００９】
請求項３に係る発明は、請求項１又は２に記載された光源内蔵型光変調器モジュールにおいて、上記第二のファラデー素子に対し磁界を印加する手段として、磁界強度を調整可能な電磁石を用いたことを特徴とする。
【発明の効果】
【００１０】
請求項１に係る発明により、半導体レーザからの光の偏波面を光変調素子の最適導波偏波面に一致させる機能と、光変調素子から半導体レーザに向かう戻り光を阻止する機能（アイソレータ）とを、同一の偏波回転素子で実現できるため、装置サイズの増大を抑制でき、しかも、半導体レーザからの光の偏波面と光変調素子への入射光に期待される最適導波偏波面とが異なる場合でも、上記偏波回転素子で一致させることが可能であるため、半導体レーザと光変調素子との間の光学的結合による損失を抑えることができる。
【００１１】
しかも、半導体レーザの主偏光成分の偏光軸と、光変調素子の最適入射偏光方向（光変調素子に入射した光が最も効率良く変調されるために最適な入射光の偏光方向を意味する）とが、９０°異なる場合又は略同一である場合でも、半導体レーザと光変調素子との間の光学的結合による損失を抑えることができる。
【００１２】
請求項２に係る発明により、半導体レーザの主偏光成分の偏光軸と、光変調素子の最適入射偏光方向とが、９０°異なる場合又は略同一である場合でも、半導体レーザと光変調素子との間の光学的結合による損失を抑えることができるだけでなく、光変調素子側から半導体レーザ側に向かう戻り光を阻止することが可能となる。
【００１３】
請求項３に係る発明により、電磁石を用いる場合には、永久磁石を用いる場合と比較しても、より適正な偏波回転が実現でき、半導体レーザと光変調素子との間の光学的結合による損失の抑制や、光変調素子側から半導体レーザ側に向かう戻り光の阻止などを、より効果的に実現することができる。
【発明を実施するための最良の形態】
【００１４】
以下、本発明について、好適例を用いて詳細に説明する。光変調器を構成する基板としては、電気光学効果を有する材料、例えば、ニオブ酸リチウム（ＬｉＮｂＯ３；以下、ＬＮという）、タンタル酸リチウム（ＬｉＴａＯ３）、ＰＬＺＴ（ジルコン酸チタン酸鉛ランタン）、及び石英系の材料から構成され、特に、光導波路デバイスとして構成しやすく、かつ異方性が大きいという理由から、ＬｉＮｂＯ３結晶、ＬｉＴａＯ３結晶、又はＬｉＮｂＯ３及びＬｉＴａＯ３からなる固溶体結晶を用いることが好ましい。本実施例では、ニオブ酸リチウム（ＬＮ）を用いた例を中心に説明する。
【００１５】
光変調器を製造する方法としては、ＬＮ基板上にＴｉを熱拡散させて光導波路を形成し、次いで基板の一部又は全体に渡りバッファ層を設けずに、ＬＮ基板上に電極を直接形成する方法や、光導波路中の光の伝搬損失を低減させるために、ＬＮ基板上に誘電体ＳｉＯ２等のバッファ層を設け、さらにその上にＴｉ・Ａｕの電極パターンの形成及び金メッキ方法などにより数十μｍの高さの信号電極及び接地電極を構成して、間接的に当該電極を形成する方法がある。また、バッファ層上にＳｉＮやＳｉ等の膜体を設けた多層構造とすることも可能である。一般に、一枚のＬＮウェハに複数の光変調器を作り込み、最後に個々の光変調器のチップに切り離すことにより、光変調器が製造される。
【００１６】
次に、本発明の特徴となる構成について説明する。ＬＮ光変調素子は、その変調効率を高めるために電気光学係数の最も大きいｒ３３を用いる入力偏光、および変調電界となる構造を用いる。表面に垂直な方向に電気光学効果により最も効率的に屈折率を変更できる結晶軸の方向を有する基板（所謂「Ｚ−ＣＵＴ型基板」）のＬＮ光変調素子を図１に、表面に平行な方向でありかつ光の進行方向に垂直な方向に、電気光学効果により最も効率的に屈折率を変更できる結晶軸の方向を有する基板（所謂「Ｘ−ＣＵＴ型基板」）のＬＮ光変調素子を図２に示す。
【００１７】
図１（図１ａはＺ−ＣＵＴ型光変調素子の俯瞰図であり、図１ｂはその断面図を示す）において、１はＺ−ＣＵＴ型基板であり、その基板表面に光導波路２をＴｉ等の内部拡散によって形成し、その表面にＳｉＯ２によるバッファ層３を設け、さらに光導波路２の上にＺ方向の電界を作るために、一対の電極４，５を設けている。電極４，５間に変調電圧６を印加すると、７の変調電界が生じ、該変調電界７の光導波路２における電界成分はほぼＺ成分となる。該光導波路２にＺ方向偏光であり、光変調素子の表面１６に垂直な偏光成分をもつＴＭ波８を導波すると、最も効率良く相互作用がなされ、電界に比例した光の屈折率変化、すなわち光の位相が変化する。
【００１８】
また、図２（図２ａはＸ−ＣＵＴ型光変調素子の俯瞰図であり、図２ｂはその断面図を示す）において、９はＸ−ＣＵＴ型基板であり、その基板表面に光導波路１０をＴｉ等の内部拡散によって形成し、その表面にＳｉＯ２によるバッファ層１１を設け、さらに光導波路近傍に光導波路１０を挟む形で、一対の電極１２，１３を形成する。電極１２，１３に変調電圧１４を印加しすると、１５の変調電界が生じ、該変調電界１５の光導波路１０における電界成分は、図２ａに示すＺ方向となる。該光導波路１０に、Ｚ方向と同方向の偏光成分（光変調素子の表面に平行な偏光成分）をもつＴＥ波１８を入力すると、最も効率良く相互作用がなされ、電界に比例した光の屈折率変化、すなわち光の位相が変化する。
【００１９】
光変調素子の光導波路のモード径は、光導波路表面に平行な方向に８μｍ程度、光導波路表面に垂直な方向に６μｍ程度である。一方、光通信用途として用いられる光源は、波長が安定でかつスペクトル幅の狭い、所詮分布帰還（ＤＦＢ）型レーザや分布反射（ＤＢＲ）型レーザが一般的に用いられる。いずれも導波路型レーザであり、図３に示すように、チップ１９に設けたリッジ構造の活性層２０が長手方向の光導波路となり、該光導波路中を不図示の回折格子で作るミラー、もしくは回折格子と反射膜でつくるミラー間を往復して増幅され、単一周波数の光として出力面２１から出力される。他方、バック面２２からも同一周波数の光２６が出力されるが、これは一般に半導体レーザの出力光強度を監視するモニター用途に用いられる。出力光２３はチップの底面２４に平行な偏波方向２５を主軸とした楕円偏波であり、２０ｄＢ以上の偏光比を持っている。また、ビーム形状は底面２４に垂直な方向で１μｍ程度、底面に平行な方向に２μｍ程度であり、垂直な方向の発散角が大きく、遠視野において底面２４に垂直な方向の径が大きな楕円形のビームとなる。
【００２０】
また、半導体レーザは外部の反射体からの戻り光があると、その反射体を外部共振ミラーとみなし、その発振周波数や発光強度が揺らぐ現象が生じる。このため、このような戻り光を減らす工夫が必要となる。一般に半導体レーザモジュールにおいては、レンズ等の光学系は表面を傾斜、又は、レンズ等の表面に無反射コートを施すことにより、反射光がレーザに戻ることを防いでいる。さらに、アイソレータを内蔵し、モジュール外からの戻り光が半導体レーザと結合しないようにしている。
【００２１】
図４は、本実施例である半導体レーザ２７とＬＮ光変調素子２８を同一の筺体２９に内蔵した光源内蔵型光変調器モジュールの断面図を示す。ここで、筺体２９はベース３０と蓋３１からなり、ベース３０の内底面３２に半導体レーザモジュールが、また該内底面３２に平行な別の内底面３３にＬＮ光変調素子２８が、各々接着固定されている。半導体レーザ２７の出力光の光軸３５とＬＮ変調素子２８の導波路軸３６が、ほぼ一致する高さに、内底面３２，３３の高さを設定する。
【００２２】
レーザモジュールは、半導体レーザ２７と、バック放射２６を受光するホトダイオード３７と、縦横で発散角の異なる出射光２３を同一の発散角とするビーム整形用の円柱レンズ３８と、発散するビームを平行ビームにする焦点距離ｆ１のレンズ３９と、アイソレータ４０および集光するための焦点距離ｆ２のレンズ４１とを含み、これらを上部基板４２に接着又は溶接により固定する。該上部基板４２をペルチェ素子を用いたサーモクーラ４３上に固定し、上部基板温度を一定に制御して、半導体レーザ２７の出力光波長の安定性を向上させる。また、ホトダイオード３７は２分割の受光素子または単一の受光素子で形成され、前者の場合は出力光量のモニターと同時に波長ズレのモニターも行う。ホトダイオード３７から出力される検出信号は、当該分野における周知の技術により、半導体レーザの駆動電圧制御などに用いられる。なお、半導体レーザ２７を含む上述した光源に係る一連の光学部品を保持している上部基板４２とサーモクーラ４３とを合わせて、「光源用支持部材」と表現している。特にサーモクーラ４３を設けない場合は、上部基板４２のみが「光源用支持部材」となる。
【００２３】
半導体レーザ２７から出射した光は、レンズ３８によってほぼ円形断面に整形され、レンズ３９により平行ビームとなり、アイソレータ４０に入射する。アイソレータ４０から出射する平行ビームは、レンズ４１によって集光され、偏波面を保持する機能を有する光ファイバ（偏光保持ファイバ）５０を経由して、ＬＮ光変調素子２８の光導波路３６に入射される。さらに、光導波路３６内を導波しながら変調を受けた光は、ＬＮ光変調素子の端面４５とｂｕｔｔ接続した出力用光ファイバ４４から出力される。ここで、４６はキャピラリ、４７は補強部材であり、光ファイバ４４とＬＮ光変調素子２８との接合強度を補強する。また、出力用光ファイバ４４は部材４８によって、ベース３０に封止固定される。
【００２４】
ＬＮ光変調素子２８の入力端面４９においても、キャピラリ５１、補強部材５２などを利用して、偏光保持ファイバ５０は、該入力端面４９にｂｕｔｔ接続され、光導波路３６と結合する。偏光保持ファイバ５０の応力付与方向（ｓｌｏｗ方向）を、ＬＮ光変調素子の最適導波方向（Ｚ−ＣＵＴ型光変調素子ではＴＭ波の方向、Ｘ−ＣＵＴ型光変調素子ではＴＥ波の方向）とする。
【００２５】
偏光保持ファイバ５０の他端５３は、レーザモジュールの温度安定化された上部基板４２に溝を設けて、該溝に接着ないし溶接固定される。図４の実施例では、偏光保持ファイバ５０の長さは１０ｍｍ程度である。偏光保持ファイバ５０の入射端における応力付与方向は、ベース３０の内底面３２に対して、ＬＮ光変調素子の端面４９側で偏光保持ファイバ５０の出射端における応力付与方向と同一方向である。すなわち偏光保持ファイバ５０は、ネジレが無いように固定される。
【００２６】
なお、別の応用例としては、偏光保持ファイバ自体に余分なストレスが付加されない程度の十分な長さの偏光保持ファイバを用意し、該偏光保持ファイバの入射端と出射端では応力付与方向が、所定角度（例えば、９０°）異なるように該偏光保持ファイバの両端を固定することにより、半導体レーザの主偏光成分の偏光軸と光変調素子の最適入射偏光方向とが異なる場合でも、偏光保持ファイバを光が通過する際に偏波面を所定角度回転させ、偏光保持ファイバから出射する際には、偏波面が光変調素子の最適入射偏光方向と同一となるように設定することも可能である。
【００２７】
偏光保持ファイバ５０を利用して、半導体レーザ２７とＬＮ光変調素子２８との光接続を行う場合には、レンズ３９の焦点距離ｆ１とレンズ４１の焦点距離ｆ２との比ｆ１／ｆ２は、偏光保持ファイバのモード径１０μｍに合うように、ほぼ１／２〜１／３とする。
【００２８】
上述した偏光保持ファイバを用いることにより、図５に示すような、レンズ４１からの収束ビーム５４をＬＮ光変調素子２８の端面４９に、直接的にフォーカスさせる空間接続系を用いる場合の欠点を除去することできる。すなわち、サーモクーラ４３によって基板４２は温度を一定に保たれるが、サーモクーラ４３の上部基板４２側とベース３０側との温度差は大きく、また素材が半導体およびセラミックであるために、その線膨張係数が大きい。したがって、温度などの環境変化や経時変化に対して、ベース３０の内底面３２に対する光軸３５の位置を一定に保つことが難しい。他方、ＬＮ光変調素子２８の光導波路３６への光結合は、その許容量が小さく、特に、高さ方向の許容量は小さく、１μｍ程度以下のアライメントずれ量に抑える必要がある。このため、安定な光学的結合を保つには、ＬＮ光変調素子２８と同様に、上部基板４２をベース３０に対して固定させる必要があるが、この場合には、光源用支持部材（上部基板４２、サーモクーラ４３）の熱膨張変化による機械的歪を緩和するため、サーモクーラ４３の放熱側５５を、ベース３０の内底面３２に対して浮かせる必要が生じる。しかしながら、このような構成では、放熱効果が上がらず、半導体レーザの機能が限定されてしまう。図４に示した本実施例のように、偏光保持ファイバ５０を介して光源部（上部基板４２により支持される部分）と光変調部（光変調素子）の両者を接続すれば、両者間の相対的な位置ずれが偏光保持ファイバ５０によって吸収でき、環境変化、経時変化に対しても安定な光接続が可能となる。
【００２９】
次に、本発明の別の特徴であるアイソレータ機能を有する偏波回転素子について、図６、図７を用いて説明する。図４に示すように、半導体レーザ２７からの出力光の偏波方向はベース３０の内底面３２に平行である。一方、Ｚ−ＣＵＴ型光変調素子では、最適な入射偏波はＴＭ波であり、ベース３０の内底面３３に垂直な方向である。両者の偏波方向を一致させるためには、半導体レーザ２７とＬＮ光変調素子２８との間に、偏波を９０°回転させる機能素子が必要である。
【００３０】
図６は、その一例であり、図６ａが示すように、半導体レーザ２７側から、第一の偏光子５６、第一の４５°ファラデー素子５７、第二の偏光子５８、第二の４５°ファラデー素子５９および第三の偏光子６０とからなる。第一、第二のファラデー素子５７、５９には不図示のＳｍＣｏ５などの磁石によって、光軸方向の直流飽和磁場６１、６２を印加する。偏光子５６，５８、および６０の透過軸は、５６が水平（内底面３２に平行）、５８がファラデー素子５７によって回転された偏波を透過する軸、６０は垂直（内底面３２に垂直）とする。これらの構成により、図６ｂのように、半導体レーザ２７からの内底面３２に平行な偏波６３は、第一のファラデー素子５７により４５°回転し（６４）、さらに第二のファラデー素子５９によってさらに４５°回転（６５）して、内底面３２に垂直な偏波６６となる。
【００３１】
この構成において、ＬＮ光変調素子側からの反射光は、図６ｃに点線矢印で示すように、無偏波反射光６７の内、垂直成分のみが第三の偏光子を透過（６８）して第二のファラデー素子５９を逆伝播する。逆伝播光は、ファラデー素子の非相反性によって、同一方向に４５°回転を受け、第二の偏光子の透過軸から９０°回転した偏波となる。これによって、半導体レーザ２８への戻り光は阻止される。ファラデー素子の結晶性、波長依存性などによって偏光６９が完全な直線でなくなり、第二の偏光子５８を漏れ出す光７０があったとしても、第一のファラデー素子５７および第一の偏光子５６によって阻止され、半導体レーザ２７と結合する戻り光は極端に少なくなる。
【００３２】
ファラデー素子５７，５９はＹ３Ｆｅ５Ｏ１２（ＹＩＧ）などの強磁性体である。第三の偏光子６０は、アイソレーション機能が低下するが、光学部品点数の減少化のために省略も可能である。以上の構成により、必要な偏波の回転と共に、アイソレータ機能をも実現できる。
【００３３】
また、Ｘ−ＣＵＴ型光変調素子との光学的結合の例について、図７により説明する。ＬＮ光変調素子２８の最適入射偏波はベース３０の内底面３３に平行であり、半導体レーザ２８の主偏光方向と同じである。この場合には、ファラデー素子、偏光子は図６と同じであるが、第二のファラデー素子５９に印加する磁場８１を、第一のファラデー素子５７への磁場８０と逆転させる。なお、第三の偏光子７２の透過軸は内底面３２と並行とする。ただし、上述したＺ−ＣＵＴ型光変調素子の場合と同様に、第三の偏光子を削除することも可能である。
【００３４】
図７の場合、第二の偏光子５８を透過した４５°偏光（６４’）は、第二のファラデー素子によって逆方向の回転を受け、その出力偏光７３は水平に戻り、第三の偏光子７２を透過（７４）する。一方、ＬＮ光変調素子側からの戻り光６７は、前述のファラデー素子の非相反性と偏光子とによって、前述と同様に半導体レーザ２７への結合が阻止される。磁場８０と磁場８１は独立したＳｍＣｏ５などの磁石によって供給する。また、偏光子５６，５８，６０，７２はラミポール、あるいはポーラコアのような３０μｍ程度の偏光子である。
【００３５】
ファラデー素子に磁界を印加する手段には、上述の永久磁石を用いる方法だけでなく、電磁石のような磁界の強度を変更可能なものであってもよい。この場合には、光変調器からの出力光などをモニタしながら、上記磁界の強度を調整し、最適な変調状態を得ることが可能となる。
【００３６】
光変調素子としてＬＮの位相変調素子を例に説明したが、ＬＮ以外の強誘電体変調素子、位相変調器以外の強度変調器など、あるいはＰＬＣ等のパッシブ素子であっても、偏波依存性のある多様な光導波路素子に対して、本発明が適応されることは自明である。また、光変調器モジュールの電気信号入出力に係わるコネクタおよび接続構造については、本発明の特徴を阻害するものでない限り、当該分野において知られている多くの技術を、本発明に適用できることは言うまでもない。
【産業上の利用可能性】
【００３７】
以上のとおり、本発明によれば、従来のアイソレータなどの光学部品を活用し、追加すべき部品点数を抑えているため、光源内蔵型光変調器モジュール全体の小型化を達成すると共に、特に、光源に半導体レーザを用いた場合でも、戻り光の抑制などにより、半導体レーザの発光を安定化させることが可能となる。よって、効率的かつ安定的な光変調を実現できる光源内蔵型光変調器モジュールが提供できる。
【図面の簡単な説明】
【００３８】
【図１】Ｚ−ＣＵＴ型光変調素子の俯瞰図（図１ａ）と断面図（図１ｂ）
【図２】Ｘ−ＣＵＴ型光変調素子の俯瞰図（図１ａ）と断面図（図１ｂ）
【図３】半導体レーザの概略図
【図４】本発明の光源内蔵型光変調器モジュールの断面図
【図５】偏光保持ファイバを利用しない光源内蔵型光変調器モジュールの断面図
【図６】偏波回転機能（９０°回転）を持つアイソレータを説明する図
【図７】偏波回転機能（０°回転）を持つアイソレータを説明する図
【符号の説明】
【００３９】
１，９  ＬＮ基板
２，１０  光導波路
４，５，１２，１３  電極
７，１５  電界
１９，２７  半導体レーザ
２８  光変調素子
３０  筐体のベース
４０  アイソレータ
５０  偏光保持ファイバ
５７，５９  ファラデー素子
５６，５８，６０，７２  偏光子
６１，６２，８０，８１  磁場方向
【図１】
2006119661.tif 000003
【図２】
2006119661.tif 000004
【図３】
2006119661.tif 000005
【図４】
2006119661.tif 000006
【図５】
2006119661.tif 000007
【図６】
2006119661.tif 000008
【図７】
2006119661.tif 000009